(57)【特許請求の範囲】
【請求項１】
屋根架構と、
観客を載せる床版と、
前記床版を前記屋根架構から吊り下げる吊下手段と、
前記屋根架構の下部の通路と前記床版をつなぐ昇降路と、
を有する観覧席構造。
【請求項２】
前記床版は、高さを異ならせて複数吊り下げられている
請求項１に記載の観覧席構造。
【請求項３】
前記床版は、昇降可能に吊り下げられている
請求項１又は２に記載の観覧席構造。
【請求項４】
前記床版は、上下方向に沿って昇降可能である、請求項３に記載の観覧席構造。
【請求項５】
前記床版は鉄筋コンクリートを用いて形成され、
前記床版とは別体とされた椅子が取り付けられている、請求項１〜４の何れか１項に記載の観覧席構造。
【請求項６】
前記床版には、前記椅子の後側に通路スペースが設けられている、請求項５に記載の観覧席構造。
【発明の詳細な説明】
【技術分野】
【０００１】
本発明は、観覧席構造に関する。
【背景技術】
【０００２】
オリンピック等のビッグイベント時に使用される大規模な競技場等は、必要とされる観覧席数が一時的に最大化される。このため、最大化された観覧席数で競技場等を建設すると、ビッグイベントの終了後に、施設の運営や維持メンテナンスに多大の手間や費用が継続して発生するという問題を有している。
このため、ビッグイベント後を考慮して、一時的に最大化する観覧席数を、当初から、減築可能に設計する方法が採用されている。しかし、観覧席数の減築にも、相応の工事費用が発生する。また、観覧席数を最大化させるためには、観覧席用の建築面積（敷地）を確保する必要がある。
競技場の観覧席構造に着目した技術には、例えば特許文献１がある。
【０００３】
特許文献１は、競技種目の変更に伴いグラウンドの高さを変更する競技場において、グラウンドの高さに対応させて、観客席の高さを変更させる技術である。
具体的には、競技場を、野球グラウンドとして使用する場合には、地表面に人工芝を敷設し、野球グラウンドを取り囲んで地盤上に構築された固定観客席を使用する。
一方、競技場をサッカーグラウンドとして使用する場合には、天然芝が植生された移動可能な架台を、野球グラウンドの上に移動させる。また、固定観客席の最上部の棚部に回動可能に連結された、サッカー観戦用の昇降観客席を、固定観客席の上方に回動させて設置する。ここに、サッカー観戦用の昇降観客席は、平板状の床版に座席が設けられ、床版の自由端部が、サッカーグラウンドに接続されている。
【先行技術文献】
【特許文献】
【０００４】
【特許文献１】特開平１０−４６８５０号公報
【発明の概要】
【発明が解決しようとする課題】
【０００５】
しかし、特許文献１は、野球観戦用の固定観客席とサッカー観戦用の昇降観客席を、切り換えて使用するものであり、最大化される観覧席に対応させることはできない。
【０００６】
本発明は、上記事実に鑑み、最大化される観覧席数に対応可能な観覧席構造を提供することを目的とする。
【課題を解決するための手段】
【０００７】
請求項１に記載の発明に係る観覧席構造は、屋根架構と、観客を載せる床版と、前記床版を前記屋根架構から吊り下げる吊下手段と、前記屋根架構の下部の通路と前記床版をつなぐ昇降路と、を有している。
【０００８】
請求項１に記載の発明によれば、観客を載せる床版が、吊下手段で屋根架構から吊り下げられる。観客は、床版の上から、屋根架構の下部で行われるイベント等を見て楽しむことができ、従来の観覧席とは異なる感動を得ることができる。また、観客は、昇降路を通り、屋根架構の下部の通路と床版との間を行き来できる。
これにより、屋根架構を利用して、床版で構成される新たな観覧席を設けることが可能となり、屋根架構の下部において、観覧席数を最大化させることができる。
【０００９】
請求項２に記載の発明は、請求項１に記載の観覧席構造において、前記床版は、高さを異ならせて複数吊り下げられている。
【００１０】
請求項２に記載の発明によれば、複数の床版が、高さを異ならせて吊り下げられている。これにより、床版に設けられた観覧席からの視界を、複数の床版のそれぞれにおいて確保することができる。
【００１１】
請求項３に記載の発明は、請求項１又は２に記載の観覧席構造において、前記床版は、昇降可能に吊り下げられている。
【００１２】
請求項３に記載の発明によれば、床版を昇降させることができる。これにより、必要とされる観覧席の数に応じて、床版を屋根架構から吊り下げることができる。即ち、観覧席数を一時的に最大化させるに際して、新たな建築面積（敷地）を必要とせず、観覧席数を減らすのに、減築を必要としない。
更に、屋根架構の下部の使用目的や観客数に応じて、床版の高さや角度を調整することができる。また、床版自体を、音響性能の調整や照明の演出等に活用することができる。
請求項４に記載の発明は、請求項３に記載の観覧席構造において、前記床版は、上下方向に沿って昇降可能である。
請求項５に記載の発明は、請求項１〜４の何れか１項に記載の観覧席構造において、前記床版は鉄筋コンクリートを用いて形成され、前記床版とは別体とされた椅子が取り付けられている。
請求項６に記載の発明は、請求項５に記載の観覧席構造において、前記床版には、前記椅子の後側に通路スペースが設けられている。
【発明の効果】
【００１３】
本発明は、上記構成としてあるので、最大化される観覧席数に対応可能な観覧席構造を提供することができる。
【図面の簡単な説明】
【００１４】
【図１】（Ａ）は、本発明の第１実施形態に係る観覧席構造が適用された競技場を模式的に示す平面図であり、（Ｂ）は、図１（Ａ）のＸ１−Ｘ１線断面図である。
【図２】（Ａ）は、本発明の第１実施形態に係る観覧席構造が適用される競技場を模式的に示す平面図であり、（Ｂ）は、図２（Ａ）のＹ１−Ｙ１線断面図である。
【図３】本発明の第１実施形態に係る観覧席構造の基本構成を示す、図１（Ｂ）の部分拡大図である。
【図４】（Ａ）は、本発明の第１実施形態に係る観覧席構造に用いられる観覧席を示す断面図であり、（Ｂ）は、図４（Ａ）のＺ１−Ｚ１線平面図である。
【図５】（Ａ）は、本発明の第１実施形態に係る観覧席構造に用いられる他の観覧席を示す断面図であり、（Ｂ）は、図５（Ａ）のＺ１−Ｚ１線平面図である。
【図６】本発明の第１実施形態に係る観覧席構造に用いられる昇降路を示す、図２（Ｂ）のＺ１−Ｚ１線視図である。
【図７】（Ａ）は、本発明の第２実施形態に係る観覧席構造に用いられる観覧席の基本構成を示す断面図であり、（Ｂ）は、他の観覧席構造の基本構成を示す断面図である。
【図８】（Ａ）〜（Ｃ）は、いずれも本発明の第２実施形態に係る観覧席構造の展開例を示す模式図である。
【図９】（Ａ）、（Ｂ）は、いずれも本発明の第２実施形態に係る観覧席構造に用いられる観覧席の活用例を示す模式図である。
【図１０】（Ａ）、（Ｂ）は、いずれも本発明の第２実施形態に係る観覧席構造に用いられる観覧席の他の活用例を示す模式図である。
【図１１】（Ａ）は、本発明の第３実施形態に係る観覧席構造に用いられる観覧席の基本構成を示す断面図であり、（Ｂ）は、図１１（Ａ）のＺ１−Ｚ１線平面図である。
【図１２】（Ａ）は、本発明の第４実施形態に係る観覧席構造に用いられる観覧席の基本構成を示す断面図であり、（Ｂ）は、図１２（Ａ）のＺ１−Ｚ１線平面図である。
【発明を実施するための形態】
【００１５】
（第１実施形態）
本発明の第１実施形態に係る観覧席構造について、図１〜図６を用いて説明する。
ここで、図１（Ａ）は、競技場３０を模式的に示す平面図であり、図１（Ｂ）は、競技場３０の屋根架構２２に、観覧席構造に係る観覧席１０を適用した構成を示す図１（Ａ）のＸ１−Ｘ１線断面図である。図２（Ａ）は、競技場３０を模式的に示す平面図であり、図２（Ｂ）は、図２（Ａ）のＹ１−Ｙ１線断面図である。
図３は、図１（Ｂ）の部分拡大図であり、図４（Ａ）は、観覧席１０を説明するための断面図、図４（Ｂ）はその平面図であり、図５（Ａ）は、観覧席１１を説明するための断面図、図５（Ｂ）はその平面図である。
図６は、階段２４を説明するための図２のＺ１−Ｚ１線視図である。
【００１６】
図１〜図６に示すように、観覧席構造は、競技場３０の屋根架構２２から吊り下げられる観覧席１０を有している。競技場３０は、また、中央部に設けられて競技が行なわれるフィールド３４と、フィールド３４を囲んで地盤６０の上に構築された、複数の固定観覧席３６を有している。
【００１７】
なお、本実施形態における競技場３０は、オリンピック等のビッグイベント時に使用される大規模な施設である。一例として、競技場３０への適用について以下説明するが、競技場３０に限定されることはなく、アリーナ等施設の名称に関わらず、屋根架構２２を有する大規模な施設であれば適用できる。
【００１８】
屋根架構２２は、鋼材を組み合わせたトラス架構で構築され、競技場３０の固定観覧席３６、及びフィールド３４の上に、中央部を高くしたアーチ状に渡されている。
図３に示すように、観覧席１０は、屋根架構２２から複数が吊り下げられ、それぞれの観覧席１０は、競技場３０の中央部へ向けて高くなるよう、互いに高さ（Ｈ１、Ｈ２）を異ならせて吊り下げられている。
【００１９】
また、観覧席１０は、フィールド３４を囲んで地盤上に構築された、複数の固定観覧席３６の上に設けられている。固定観覧席３６は、フィールド３４に最も近い最前列が、地盤６０の上からの高さが最も低く、フィールド３４から離れる程、地盤６０からの高さが高くされている。また、地盤６０からの高さが最も高くされた固定観覧席３６の後方に、競技場３０の出入口８４がある。
【００２０】
観覧席１０は、固定観覧席３６の最上段の座席の後方であり、固定観覧席３６の最上段の座席より高い位置に、最下段が設けられている。観覧席１０は、屋根架構２２の傾斜に沿って、高さを高くし、フィールド３４の中心に最も近い位置が、地盤６０からの高さが最も高くされている。
【００２１】
これにより、複数の観覧席１０を屋根架構２２からケーブル２０で吊り下げても、それぞれの観覧席１０からの視界（フィールドを見下ろすための前方及び斜め下方の視界）を確保することができる。
図４（Ａ）、図４（Ｂ）に示すように、観覧席１０は、平板状に形成され、観客１２を支持するベース部材（床版）１６を有している。ベース部材１６の周囲には、手すり部材１８が立上げられている。
【００２２】
ベース部材１６は、鋼材、木材、樹脂部材及び鉄筋コンクリート版等を用いて形成され、複数の吊り下げ位置で、所定の吊り下げ部材で吊り下げられた状態において、複数の観客を乗せても（本実施形態では１４人）、平板状態を維持できる、十分な曲げ剛性を備えている。
ベース部材１６は所定の外径寸法で形成され、上面には、観客用の複数（１４個）の椅子１４が取付けられている。
【００２３】
手すり部材１８は、観客１２の落下防止と共に、観覧席１０から下へ、物品を落さないよう設けられている。また、手すり部材１８は、椅子１４に座った観客１２の視界を確保できる高さに形成されている。
手すり部材１８はＣ形鋼で形成されている。手すり部材１８の下端部は、ベース部材１６の周囲の端部と接合され、上端部には、ケーブル（吊下手段）２０の下端部が複数接合されている。
【００２４】
観覧席１０は、競技場３０の屋根架構２２に固定された６本のケーブル２０で、水平に吊り下げられている。ケーブル２０は、下端部を手すり部材１８の上端部に取付け、上端部を屋根架構２２に固定している。ケーブル２０の上端部と屋根架構２２は、連結部材２８で連結されている。
なお、屋根架構２２が適切な位置にない場合には、屋根架構２２の部材間に梁を渡し、この渡された梁を利用して固定すればよい。
【００２５】
また、観覧席１０は、振れ止めワイヤー６２で、振れが抑制されている。振れ止めワイヤー６２は、下端部を手すり部材１８の上端部に接合し、上端部を屋根架構２２に接合している。振れ止めワイヤー６２は、Ｘ軸方向及びＹ軸方向に斜めに渡され、観覧席１０の振れを抑制する。
【００２６】
図２、図６に示すように、観覧席１０は、矩形状に形成されたベース部材１６の長手方向に沿わせて、椅子１４を一列に配置している。また、観覧席１０は、フィールド３４の長手方向に沿わせて、ベース部材１６の長手方向を配置している。
これにより、観覧席１０の観客は、フィールド３４の長手方向に沿にそって一列に並び、フィールド３４を、斜めに見下ろす視点で競技を観戦できる。
【００２７】
また、図５（Ａ）、図５（Ｂ）に示すように、ベース部材１６の椅子１４の後側には、通路スペース３８が設けられている。これにより、通路スペース３８を通り、観覧席１０にある自分の椅子１４まで移動することができる。
【００２８】
図３、図６に示すように、複数の観覧席１０のそれぞれは、観覧席１０用の階段（昇降路）２４で、屋根架構２２の下部の踊場（通路）３２とつながれている。また、踊場３２は、階段８６で出入口８４と直結する踊場２６とつながれている。
【００２９】
階段２４は、屋根架構２２に沿って高さを異ならせて配置された観覧席１０を、高さの順に、順次、観覧席１０をつないで配置されている。
階段２４は、観覧席１０と独立した構成とされ、屋根架構２２から直接吊り下げられている。しかし、これに限定されることはなく、両側面にある観覧席１０のいずれか一方の側面と一体化させ、階段２４と観覧席１０が一体化された状態で、屋根架構２２から吊り下げてもよい。
【００３０】
これにより、観覧席１０へ移動する観客１２は、図３に示すように、出入口８４を入った後、矢印Ａ、矢印Ｂ、矢印Ｃ、矢印Ｄ、矢印Ｅの順に進み、踊場２６に到達する。踊場２６に到達した後、矢印Ｆに従い階段８６を上ることで、踊場３２に到達する。ここに、踊場３２は、最下部の観覧席１０と同じ高さとなっている。また、踊場３２は、階段２４の最下段と同じ高さとなっている。
【００３１】
観客１２は、続いて矢印Ｇに示すように、観覧席１０の間に設けられた階段２４を上ることで、自分の椅子１４がある観覧席１０に到達することができる。目的とする観覧席１０では、手すり部材１９に設けられた入口を通り、矢印Ｈの方向へ進むことで、観覧席１０のベース部材１６に移動することができる。最後に、観覧席１０の通路スペース３８を通り、自分の椅子１４まで進む。
【００３２】
踊場２６、階段８６及び踊場３２は、いずれも地盤６０の上に構築されている。一方、階段２４は、屋根架構２２から吊り下げられている。このため、踊場３２と階段２４の接合部には、図示しないエキスパンションジョイントが設けられている。
【００３３】
なお、図５（Ａ）、（Ｂ）に示すように、競技場３０の中央部（屋根架構２２の上部）の近くに配置される観覧席１１は、ベース部材１７や手すり部材１９の一部、又はベース部材１７や手すり部材１９の全部が、透明な樹脂部材等で製造されている。
これにより、観客１２の観覧席１１からの、下方の展望を確保することができる。また、フィールド３４の上方から、フィールド３４を見下ろす角度で、イベント等を観戦することができる。
なお、図５（Ａ）に示すベース部材１７や手すり部材１９の断面は、樹脂部材の透明性を表現するため、敢えてハッチングは省略している。
【００３４】
本構成によれば、観客１２を載せる観覧席１０が、ケーブル２０で屋根架構２２から吊り下げられている。観客１２は、吊り下げられた観覧席１０から、屋根架構２２の下部で行われるイベント等を楽しむことができる。これにより、観客１２は、従来の固定観覧席３６とは異なる視点で、異なる感動を得ることができる。
また、観客１２は、階段２４を通り、屋根架構２２の下部の踊場３２と観覧席１０との間を行き来できる。また、観客１２は、踊場２６を通り、踊場３２と出入口８４との間を通り行き来できる。
【００３５】
上述したように、本実施形態によれば、屋根架構２２を利用して、固定観覧席３６の上に、観覧席１０を設けることが可能となる。この結果、屋根架構２２の下部の観覧席数（固定観覧席３６と観覧席１０の合計）を最大化させることができる。これにより、競技場３０の敷地面積を増大させずに、観覧席数を増大させることができる。
【００３６】
また、吊るされた観覧席１０は、フィールド３４からの距離が近く、下方のフィールド３４で行われている競技を見下ろすという、従来にない、競技観戦の新しい視点を創出することができる。
【００３７】
なお、競技場３０は、既設であっても、新築であってもよく、屋根架構２２の下部の空間を有効に活用して、観覧席の二層化が図れ、観客席数を増やすことができる。
また、屋根架構２２は、アーチ形状で説明したが、これに限定されることはなく、屋根架構２２が傾斜していなくてもよい。また、屋根架構２２の傾斜がアーチ形状でなくてもよい。
【００３８】
また、本構成は、乾式工法（ボルト締め）で架構できるので、既存施設であっても、オリンピック等のビッグイベント時に要求される一時的な観客席数の増大に対応できる。その際、工事、撤去が簡便となる。更に、オリンピック等のビッグイベント終了後に、大掛かりな改修を伴わずに、観覧席数を適正な数に簡便に収めることができる。
【００３９】
（第２実施形態）
本発明の第２実施形態に係る観覧席構造について、図７（Ａ）、（Ｂ）、図８（Ａ）〜（Ｃ）、図９（Ａ）、（Ｂ）、図１０（Ａ）、（Ｂ）を用いて説明する。
第２実施形態に係る観覧席構造は、観覧席１０が昇降可能に吊り下げられている点において、第１実施形態と相違する。相違点を中心に説明する。
ここで、図７（Ａ）はウインチ４６で昇降可能に吊下げられた観覧席１０を示し、（Ｂ）は、ロッド巻上装置７２で昇降可能に吊下げられた観覧席１０を示している。
図８（Ａ）〜（Ｃ）は、観覧席１０が昇降可能に吊り下げられた競技場３０の活用例を示し、図９（Ａ）、（Ｂ）は、観覧席１０の活用例を示し、図１０（Ａ）、（Ｂ）は、観覧席１０の他の活用例を示している。
【００４０】
図７（Ａ）に示すように、観覧席１０は、屋根架構２２に取付けられたウインチ４６から吊り下げられたケーブル２０に取付けられている。
ウインチ４６は、連結部材４５で屋根架構２２に固定され、運転操作に従いケーブル２０の巻き上げ、巻き戻しを行う。ウインチ４６は、観覧席１０を吊るす全てのケーブル２０に取付けられている。
これにより、ウインチ４６を操作することで、個々の観覧席１０を、矢印Ｑに示すように、独立して昇降させることができる。
【００４１】
先ず、図８（Ａ）〜（Ｃ）を用いて、ウインチ４６により、観覧席１０が昇降可能に吊り下げられた競技場３０の活用例を示す。
図８（Ａ）に示すように、観覧席１０を、矢印Ｑに示すように、ウインチ４６で所定高さまで吊り上げ、かつ、吊下げ位置を微調整することができる。これにより、複数の観覧席１０を、それぞれ所定の高さに配置することができる。
屋根架構２２の下部に観覧席１０を増加させることで、競技場３０における観客席数を最大化させることができる。
【００４２】
図８（Ｂ）に示すように、観覧席１０を、ウインチ４６で、最上部に設けた格納位置（屋根架構２２の近傍）まで巻き上げて、格納することができる。
即ち、観覧席１０を使用しない場合には、観覧席１０を、矢印Ｒに示すように、ウインチ４６で、格納位置まで持ち上げることで、競技場３０の内部空間を広くすることができる。
【００４３】
ここに、観覧席１０の格納は、一部の観覧席１０のみを格納し、残りの観覧席１０を使用する構成も可能である。
これにより、競技場３０の減築等を伴わずに、競技場３０における観覧席数を、容易に適正な数に調整することができる。また、必要に応じて再度、観覧席１０を所定位置に取付け、観覧席数を最大化させることができる。
【００４４】
図８（Ｃ）は、全ての観覧席１０を、天井面から取り外した構成を示している。
競技場３０における観客席数を最大化させたイベントが終了し、観覧席数を減らす場合には、観覧席１０を取り外し、観覧席数を適正な数に調整することができる。
この際、ウインチ４６を利用することで、観覧席１０の取外しが容易になる。
【００４５】
なお、観覧席１０の取外しは、一部の観覧席１０のみであってもよい。
また、観覧席１０の取外しにおいて、観覧席１０のみを取外し、ウインチは残してもよいし、観覧席１０とウインチ４６の両者を取り外してもよい。
これにより、競技場３０の減築を行わずに、容易に、競技場３０から観覧席１０を取り外し、競技場３０の観覧席数を適正に維持することができる。
【００４６】
なお、図７（Ｂ）に示すように、観覧席１０を昇降可能に吊り下げる構成は、外周部にネジが切られたロッド７０と、ロッド７０を囲むロッド巻上装置７２を用いてもよい。
観覧席１０は、ロッド７０の下端部に取り付け、ロッド巻上装置７２は、連結部材７３で屋根架構２２に固定されている。また、屋根架構２２の上方には、上下方向に移動するロッド７０の収容空間が設けられている。
【００４７】
ロッド巻上装置７２の内部には、ロッド７０の外周に設けられたネジ部と螺合する、図示しないナット部と、ナット部を回転させる回動部を有している。運転操作で回動部の回転方向を制御することで、ロッド７０を上下方向へ移動させることができる。
ロッド７０の上下方向への移動により、観覧席１０を矢印Ｑに示すように、昇降させることができる。
【００４８】
次に、図９（Ａ）、図９（Ｂ）を用いて、観覧席１０を音響性能の調整に活用する例について説明する。
図９（Ａ）、図９（Ｂ）は、いずれも、観覧席１０のベース部材１６の底面１６Ｂに、吸音材又は反響材６４を貼り付けた構成である。これにより、競技場３０で音楽イベント等を開催する際に、観覧席１０の位置や角度を調整することで、競技場３０の内部空間の音響性能を向上させることができる。
【００４９】
図９（Ａ）は、観覧席１０の底面１６Ｂを水平に向けた場合を示している。フィールド３４からの矢印Ｓで示す音を、観覧席１０の底面１６Ｂで反射させ、又は吸収させることで、競技場３０内部の音響性能をコントロールできる。
【００５０】
図９（Ｂ）は、観覧席１０の底面１６Ｂを、水平に対して傾斜させた場合を示している。これにより、傾斜角度を調整することで、フィールド３４からの矢印Ｓで示す音の反射や吸収を、より効果的に調整できる。
【００５１】
次に、図１０（Ａ）、図１０（Ｂ）を用いて、観覧席１０を照明性能の向上に活用した例を説明する。
図１０（Ａ）は、複数の、観覧席１０のベース部材１６の底面１６Ｂに、面状の発光源６６をそれぞれ設置した構成を示している。
位置が異なる観覧席１０の底面１６Ｂに、面状の発光源６６を取付け、面状の発光源６６からの、矢印Ｎで示す光の色や強度を適切に調整することで、フィールド３４における、光の演出効果を高めることができる。
【００５２】
図１０（Ｂ）は、複数の観覧席１０のベース部材１６の底面１６Ｂに、半球状の発光源６８を、それぞれ取付けた構成を示している。位置が異なる底面１６Ｂに半球状の発光源６８と取り付け、半球状の発光源６８からの光の色や強度を適切に調整することで、フィールド３４における光の演出効果を高めることができる。
【００５３】
更に、図示は省略するが、複数の観覧席１０のベース部材１６の底面１６Ｂに、プロジェクターを設置して画像を投射したり、複数のベース部材１６の底面１６Ｂから垂れ幕を吊り下げることもできる。また、これらを組み合わせ、種々の演出や情報発信に利用することができる。
なお、観覧席１０の底面１６Ｂのメンテナンスは、近傍の床面から行うことができる。
他の構成は、第１実施形態と同じであり説明は省略する。
【００５４】
（第３実施形態）
本発明の第３実施形態に係る観覧席構造について、図１１（Ａ）、図１１（Ｂ）を用いて説明する。
第３実施形態に係る観覧席構造は、観覧席４０を有している。観覧席４０は、観覧席４０を吊るすケーブル４２を、側面視において、観覧席４０の中央部のみに配置した点において、第１実施形態と相違する。相違点を中心に説明する。
ここで図１１（Ａ）は、観覧席４０を説明するための断面図であり、図１１（Ｂ）は、その平面図である。
【００５５】
図１１（Ａ）、図１１（Ｂ）に示すように、観覧席４０は、Ｙ軸方向の中央部に、Ｘ軸方向の全長に渡るＨ形鋼４４を有している。Ｈ形鋼４４は、観覧席４０の構造部材を構成すると共に、椅子７６の一部としても利用されている。
【００５６】
観覧席４０は、３本のケーブル４２で、屋根架構２２から吊り下げられている。ケーブル４２の上端部は、連結部材２８で屋根架構２２と接合され、下端部は、Ｈ形鋼４４の上フランジに取付けられている。
【００５７】
なお、観覧席４０は、第２実施形態で説明したウインチ４６で吊下げられる構成であってもよい。これにより、観覧席４０を上下方向に調整することができる。
また、観覧席４０の手すり部７４には、Ｘ軸方向、及びＹ軸方向の振れを抑制する振れ止めワイヤー６２が取付けられている。
【００５８】
本構成とすることにより、ケーブル４２の数量を３本に減らし、観覧席４０の構造を簡略化できる。また、観覧席４０の手すり部７４に取付けるケーブル４２の数を減らすことができるので、観覧席４０からの視界を広く確保することができる。
また、本実施形態においても、第２実施形態で説明したように、観覧席４０の活用を図ることができる。他の構成は、第１実施形態と同じであり説明は省略する。
【００５９】
（第４実施形態）
本発明の第４実施形態に係る観覧席構造について、図１２（Ａ）、図１２（Ｂ）を用いて説明する。
第４実施形態に係る観覧席構造は、観覧席５０を有し、観覧席５０はベース部材５４が木造とされている点において、第１実施形態と相違する。相違点を中心に説明する。
ここに、図１２（Ａ）は、観覧席構造に係る観覧席５０を説明するための断面図であり、（Ｂ）は、その平面図である。
【００６０】
図１２（Ａ）、（Ｂ）に示すように、観覧席５０のベース部材５４は、椅子１４が取付けられる上段の上段床材５６と、ケーブル５２の下端部が取付けられる下段の下段床材５８を有している。上段床材５６と下段床材５８は、いずれも木材で形成されている。
上段床材５６と下段床材５８との間には、空間８０が設けられている。空間８０には、ケーブル５２の取付け部を補強する補強部材８２が配置されている。
これにより、観覧席５０の軽量化が図れ、屋根架構２２に加えられる荷重を低減することができる。
【００６１】
ケーブル５２は、ベース部材５４の周囲に８本が取付けられている。ケーブル５２の下端部は下段床材５８に取付けられ、ケーブル４２の上端部は、連結部材２８で屋根架構２２と接合されている。
また、観覧席５０の手すり部７８には、Ｘ軸方向、及びＹ軸方向の振れを抑制する振れ止めワイヤー６２が取付けられている。
【００６２】
なお、連結部材２８は、第２実施形態で説明したウインチ４６を、屋根架構２２に取付けた構成であってもよい。これにより、観覧席５０を上下方向に昇降可能に取り付けることができる。
また、本実施形態においても、第２実施形態で説明したように、観覧席５０の活用を図ることができる。他の構成は、第１実施形態と同じであり説明は省略する。
【符号の説明】
【００６３】
１０、１１、４０、５０  観覧席
１２  観客
１４、４４  椅子
１６、１７、４８、５４  ベース部材（床版）
１８  手すり用部材（観覧席）
２０、４２、５２  ケーブル（吊下手段）
２２  屋根架構  
２４  階段（昇降路）
２６  踊場（通路）
３０  競技場  
３２  踊場（通路）
４６  ウインチ（昇降手段）
７０  ロッド（吊下手段）
７２  ロッド巻上装置（昇降手段）
【図１】
0006556534.tif 000002
【図２】
0006556534.tif 000003
【図３】
0006556534.tif 000004
【図４】
0006556534.tif 000005
【図５】
0006556534.tif 000006
【図６】
0006556534.tif 000007
【図７】
0006556534.tif 000008
【図８】
0006556534.tif 000009
【図９】
0006556534.tif 000010
【図１０】
0006556534.tif 000011
【図１１】
0006556534.tif 000012
【図１２】
0006556534.tif 000013